(57)【要約】【課題】簡易小型化で机上等にも容易に設置でき、災害時等の緊急対応性に優れ、且つ種類の異なる試験管を一度に多数選択して準備することのできるチューブディスペンサーの提供を目的とする。【解決手段】同一種類の試験管を多数収容する試験管収容部が対向して配置され、これらが複数並列配置されている。また各試験管収容部における対向する試験管収容部どうしの中央寄りの下部側には、試験管を一本ずつ切り出すための切出ローラが配置されている。切出ローラの下方側には、試験管の搬送コンベアが配置されている。搬送コンベアの終端側には、試験管収納用トレイの載置部が設けられてトレイが準備されており、前記搬送コンベアによって搬送されてきた試験管が落下投入される。またトレイ載置部に隣接してラベルプリンタが設置されており、前記トレイ載置部のトレイに対して患者情報及び検査情報等が印字されたラベルを投入するようになっている。【選択図】  図３
2008120404.tif 000002
【特許請求の範囲】
【請求項１】
同一種類の試験管を多数収容する試験管収容部が対向して配置されると共に少なくともこれらが複数並列配置されたストッカーと、各試験管収容部において対向する試験管収容部どうしの中央寄りの下部側に配置された試験管を一本ずつ切り出すための切出ローラと、これらの切出ローラの下方側に配置された試験管を搬送するための搬送コンベアと、搬送コンベアの終端側に形成された試験管収納用トレイの載置部と、トレイ載置部の隣位に配置され、前記トレイ載置部のトレイに対して患者情報及び検査情報等が印字されたラベルを投入するためのラベルプリンタとで構成したことを特徴とするチューブディスペンサー。
【請求項２】
各試験管収容部の切出ローラは個別に駆動制御されるようになっており、トレイ載置部のトレイ検知信号によって駆動が開始されるか又はトレイ検知信号と発行ボタン信号の二つの信号が出力されたときに駆動が開始されるかの選択が可能である前記請求項１に記載のチューブディスペンサー。
【請求項３】
各試験管収容部の切出ローラは全てのものが同時に駆動できるようになっている前記請求項１又は２に記載のチューブディスペンサー。
【請求項４】
ラベルプリンタからのトレイへのラベルの投入時期は、試験管が収納される前又は後のいずれかを選択できるようになっている前記請求項１乃至３のいずれかに記載のチューブディスペンサー。
【請求項５】
患者情報及び検査情報等のデータをパソコンから取得するようにした前記請求項１乃至４のいずれかに記載のチューブディスペンサー。
【発明の詳細な説明】
【技術分野】
【０００１】
本発明は、採血検査の前工程における採血工程での試験管（tube）の事前準備作業を行なうものであって、医師からの採血指示に応じて種類の異なる試験管を一度に多数選択し、患者ＩＤや前記採血指示内容等の患者情報を印字したラベルと共に患者別にトレイへ収納することのできる処理能力に優れたチューブディスペンサーに関するものである。
【背景技術】
【０００２】
病院、医院、その他の医療機関における血液検査部門では、採血作業者（看護師等）により、患者から血液を採取し、採取した検体を試験管へ収容して検査部門へ移送するようにしている。血液検査では、その血液検査項目に応じて、多種類の試験管が準備されており、通常、一人の患者に対して複数種類の検査が同時に行われる。そのため、試験管の準備も一人の患者に対して複数種類のものが試験管準備装置によって自動的に準備されるようになっている。そして、採血室では多数の患者を取り扱うのが当たり前であり、前記試験管準備装置で準備された各試験管にはオーダ番号等のバーコードが印刷されたラベルが貼付されている。
また患者には受付番号等のバーコードが印刷された採血受付票が発行されている。採血作業に際しては、これらのラベルや受付票の内容をバーコードリーダ等の光学的機器により読み取って患者及び試験管の取り間違いが起こらないようにしている。
このような採血業務の自動化を図り、採血業務を支援する技術として、特許文献１に示す技術がある。
【０００３】
前記特許文献１の技術は、複数の試験管収容部を備え、医師からの採血オーダ情報に基づいて患者の採血に必要な試験管を対応する試験管収容部から取り出し、ラベル印字・貼付手段を用いて、患者の採血に関する情報を印字して取り出した試験管に貼り付けるようにしている。そして、ラベル貼付後の試験管を排出手段で試験管回収部まで移送し、試験管回収部にてラベル貼付後の試験管を患者毎にトレイで収容するようにしている。
更に、特許文献１では、試験管収容部にラベル貼付後の試験管を入れる直前に試験管に貼り付けられたラベルの情報を読み取れるように読取手段を設け、該読取手段で読み取った情報と、医師からの採血オーダ情報とを照合確認するようにしている。
【０００４】
一方、一連の採血作業の手順は、患者が採血室受付で受付を行うと、当該患者の情報が試験管準備装置へ伝達されると共に患者には採血受付票が手渡される。試験管準備装置では、当該患者の採血情報をＨＩＳ（医療情報システム）又はＬＩＳ（検査情報システム）の医事コンピュータから取得し、検査に必要な種類別の試験管を準備し、患者ごとにトレイへ投入して採血作業現場へ排出している。採血作業現場では、順次搬送されて来るトレイの患者情報に基づいて患者を呼び出し、到着後に患者が本人であるか否かを確認して採血を行っている。
【特許文献１】特開２００５−６７６６０号公報
【発明の開示】
【発明が解決しようとする課題】
【０００５】
ところが、前記特許文献１に示す技術では、試験管を自動的に準備する装置が、試験管を一本ずつ準備しており、非常に効率の悪い作業となっている。すなわち、採血受け付け後に、ＨＩＳ（医療情報システム）又はＬＩＳ（検査情報システム）の医事コンピュータから取得した検査情報に基づいて必要な試験管を一本選択してストッカーから該当する試験管を切り出して取り出し、これと並行して前記選択した試験管に関する患者情報及び検査情報等をラベルへ印字し、この印字したラベルを前記選択した試験管へ貼り付け、貼り付け後の試験管を当該患者のためのトレイへ投入している。そして、このような一本ずつの試験管の準備を繰り返して行うことで、一人の患者に必要な数の試験管を順次準備している。例えば、当該患者が８項目の採血検査が必要な場合は、８回の試験管準備作業を繰り返して行う必要があった。
そのため、一日に処理する採血患者数の多い病院等では、これらに対処するために試験管準備装置を多数設置すると共に、これに対応して採血作業者も多数人を確保して配置する必要があった。また試験管一本ずつの準備では、一人の患者に対する試験管準備作業時間が長くなり、効率的にも悪いものとなっていた。
【０００６】
また特許文献１に示す技術では、患者情報及び検査情報などを印字したラベルの貼付装置を試験管準備装置内に組み込む必要があり、試験管準備装置の全体が大型化し、十分な設置スペースを確保した上で、土台強度が十分な床面へ固定設置する必要があった。しかも、特許文献１の技術では、一人の患者の検査に必要な全ての種類の試験管が準備されたトレイを採血作業現場へ搬送するようにしており、大掛かりな搬送設備も必要であるため、レイアウト変更などのときには、容易に試験管準備装置を移動させたりすることができず、また個人の病院へ適用するにはスペース的に制限を受けるなどの問題があった。
前記簡易小型化及びポータビリティ性の問題と、スペース的な問題とは、災害時等において、簡易に設置する必要のある場合などにも対処することができない原因の一つとなり、緊急対応が出来ないという欠点があった。
【０００７】
本発明は従来の前記課題に鑑みてこれを改良除去したものであって、簡易小型化でポータビリティ性に優れ、机上等にも容易に設置でき、災害時等の緊急対応性にも優れ、且つ医師からの採血指示に応じて種類の異なる試験管を一度に多数選択して準備することで処理能力にも優れたチューブディスペンサーを提供せんとするものである。
【課題を解決するための手段】
【０００８】
而して、前記課題を解決するために本発明が採用した請求項１の手段は、同一種類の試験管を多数収容する試験管収容部が対向して配置されると共に少なくともこれらが複数並列配置されたストッカーと、各試験管収容部において対向する試験管収容部どうしの中央寄りの下部側に配置された試験管を一本ずつ切り出すための切出ローラと、これらの切出ローラの下方側に配置された試験管を搬送するための搬送コンベアと、搬送コンベアの終端側に形成された試験管収納用トレイの載置部と、トレイ載置部の隣位に配置され、前記トレイ載置部のトレイに対して患者情報及び検査情報等が印字されたラベルを投入するためのラベルプリンタとで構成したことを特徴とするチューブディスペンサーある。
【０００９】
本発明が採用した請求項２の手段は、各試験管収容部の切出ローラは個別に駆動制御されるようになっており、トレイ載置部のトレイ検知信号によって駆動が開始されるか又はトレイ検知信号と発行ボタン信号の二つの信号が出力されたときに駆動が開始されるかの選択が可能である前記請求項１に記載のチューブディスペンサーである。
【００１０】
本発明が採用した請求項３の手段は、各試験管収容部の切出ローラは全てのものが同時に駆動できるようになっている前記請求項１又は２に記載のチューブディスペンサーである。
【００１１】
本発明が採用した請求項４の手段は、ラベルプリンタからのトレイへのラベルの投入時期は、試験管が収納される前又は後のいずれかを選択できるようになっている前記請求項１乃至３のいずれかに記載のチューブディスペンサーである。
【００１２】
本発明が採用した請求項５の手段は、患者情報及び検査情報等のデータをパソコンから取得するようにした前記請求項１乃至４に記載のチューブディスペンサーである。
【発明の効果】
【００１３】
請求項１の発明にあっては、同一種類の試験管を多数収容する試験管収容部が対向して配置されると共に、これらが複数並列配置されたストッカーを有している。尚、試験管収容部の総設置数は、必ずしも偶数にならなくても、奇数となる場合であってもよい。そして、各試験管収容部において対向する試験管収容部どうしの中央寄りの下部側には、試験管を一本ずつ切り出すための切出ローラが配置されている。切出ローラは、例えば、円柱状の周面に凹条が形成され、該凹条に試験管を落とし込んで一本の試験管を保持し、切出ローラを回転させて試験管が下方を向くようにすることで保持した試験管を自然落下させるようになっている。
【００１４】
切出ローラの下方側には、試験管を搬送するための搬送コンベアが配置されており、切出ローラから自然落下した試験管を当該搬送コンベアが受け取り、所定位置まで搬送するようになっている。搬送コンベアの終端側には、試験管収納用トレイの載置部が設けられてトレイが準備されており、前記搬送コンベアによって搬送されてきた試験管が落下投入される。またトレイ載置部に隣接してラベルプリンタが設置されており、前記トレイ載置部のトレイに対して患者情報及び検査情報等が印字されたラベルを投入するようになっている。
【００１５】
このように試験管収容部を対向配置してこれらを並列配置することにより、ストッカー自体の大きさを小型化できる。また従来のように患者情報及び検査情報等を印字したラベルを試験管へ貼付する貼付装置が組み込まれておらず、また多数の試験管を収納したトレイを採血現場まで搬送するためのトレイ搬送コンベアが不要であるため、チューブディスペンサーの全体を簡易小型化することができ、持ち運び等にも便利である。そのため、通常の事務用デスクの上へ載置して使用することも可能であり、災害時等の緊急時にその効用を最大限に発揮することが可能である。
【００１６】
請求項２の発明にあっては、各試験管収容部の切出ローラが、個別に駆動制御されるようになっている。そして、トレイ載置部のトレイ検知信号によって駆動が開始されるか又はトレイ検知信号と発行ボタン信号の二つの信号が出力されたときに駆動が開始されるかの選択が可能である。これは、トレイ検知信号のみで例えば切出ローラの駆動を開始させるように限定すると、作業員の手等がトレイ検知センサーの検知領域に誤って侵入したときに、トレイが準備されていないにもかかわらず、試験管が切り出されて搬送コンベアからトレイ載置部へ落下供給され、誤作動の原因になることがあるので、トレイ検知信号と発行ボタン信号の二つの信号が出力されたときに始めて切出ローラの駆動が開始される使用形態も採用できるようにしている。
一方、専属の作業員が常に待機しているような場合は、作業員がトレイを載置部へ準備するだけで、これをセンサーが自動検知すれば、例えば切出ローラが駆動できるようにした方がタイムラグがなく、効率的である。
【００１７】
請求項３の発明にあっては、各試験管収容部の切出ローラが同時に駆動できるようになっている。採血対象の当該患者が６種類の試験管を必要としている場合には、６つの試験管収容部のそれぞれの切出ローラが一斉に試験管を切り出し、搬送コンベアに同時に６種類の試験管が落下供給され、搬送コンベア終端側に準備されたトレイに殆ど同時に投入することができる。そのため、非常に効率的な試験管の準備が可能である。
【００１８】
請求項４の発明は、ラベルプリンタからのトレイへのラベルの投入時期について、試験管が収納される前又は後のいずれかを選択できるようになっている。これは扇風機を回しているような採血現場ではあれば、試験管をトレイへ投入した後にラベルをトレイへ投入するようにすると、扇風機の風でラベルが吹き飛ばされる虞があるからである。このような場合は、ラベルを投入した後に試験管を投入するようにすれば、試験管の重量によってラベルが押さえられ、扇風機が回っているような環境下でもラベルが吹き飛ばされるようなことはない。
一方、このような心配のいらない環境下では、試験管をトレイへ投入した後、ラベルをトレイへ投入するようにした方が作業員による試験管へのラベルの貼付作業が容易となる。
【００１９】
請求項５の発明は、患者情報及び検査情報等のデータをデスクトップ型又はノート型パソコンから取得するようにしている。このようにチューブディスペンサーの本体をデスクトップ型又はノート型パソコンと接続することにより、特にノート型パソコンに接続した場合は、災害時等の持ち運び、簡易設置性を高めることができる。例えば、災害時等において、救護テントに設置された診察室にテーブルを準備し、その上に本発明にかかるチューブディスペンサーを置き、これに医者が使用するノート型パソコンを接続し、医者が患者を診察した後に、ノート型パソコンに入力した患者情報及び検査情報等をチューブディスペンサーへ送信し、試験管を準備するように構成することができる。
これであれば短時間に大勢の被災患者を診察及び採血検査しなければならない場合等に容易に対応することが可能である。
なお、簡易小型化及びポータビリティ性に優れ、且つ試験管の準備効率においても優れているので、災害時に限らず、通常の病院や個人経営の小さな病院、更には移動健診車等においても簡易に設置でき、いろんな環境下で使用することが可能である。
【発明を実施するための最良の形態】
【００２０】
以下に、本発明の構成を図面に示す発明の実施の形態に基づいて説明すると次の通りである。図１は本発明の一実施の形態に係るチューブディスペンサー１の全体を示す平面図、図２は同正面図、図３は同縦断面右側面図である。また図４はチューブディスペンサー１のフローチャートを示す図面、図５はシーケンシャルフローチャートを示す図面、図６は電気的な構成を示すブロック図、図７は機械的な構成を示すブロック図である。
【００２１】
図１乃至図３に示すごとく、この実施の形態のチューブディスペンサー１は、箱状に形成された本体２と、本体２に内蔵された電子部品搭載の基板（図示せず）とRS232C通信方式等のインターフェースを介して接続される医師等が使用するノート型の発行パソコン３と、本体２の右側面中央寄りの位置に設置された試験管収納用トレイ４の載置台５と、前記本体２の基板に対してRS232C通信方式等のインターフェースを介して接続され、前記トレイ載置台５に隣接して本体２の右側面奥側に配設されたラベルプリンタ６とで構成されている。前記ノート型の発行パソコン３は、デスクトップ型であってもいいが、この実施の形態ではポータビリティ性に最も優れているノート型を採用している。
【００２２】
本体２は、その上部側に上面が開口して区画された試験管７のストッカー８が設けられている。ストッカー８は、同一種類の試験管７を多数収容する試験管収容部９Ａ，９Ｂが対向して配置されている。図面の実施例では、これらのものが片側にそれぞれ三個ずつ並列配置されている場合を示しており、合計六個の試験管収容部９Ａ，９Ｂが形成されている。従って、この実施例のチューブディスペンサー１で取り扱う試験管７の種類は六管種ということになる。尚、試験管収容部の総設置数は、必ずしも偶数にならなくても、奇数となる場合であってもよい。また各試験管収容部９Ａ，９Ｂの底板１０は、それぞれが向き合う中央の位置へ向けて下り勾配となるように傾斜して取り付けられており、投入された試験管７が自然に転がって中央寄りの位置へ集合できるようになっている。
【００２３】
更に、各試験管収容部９Ａ，９Ｂにおいて対向する試験管収容部どうしの中央寄りの下部側には、各試験管収容部９Ａ，９Ｂに収容された試験管７を一本ずつ切り出すための切出ローラ１１が配置されている。切出ローラ１１は、例えば、円柱状の周面に凹条１２が形成され、該凹条１２に試験管７を落とし込んで一本の試験管７を保持するようになっている。そして、切出ローラ１１は、試験管７を保持したまま回転し、試験管７が下方を向くようになると凹条１２に保持した試験管７を自然落下させるようになっている。それぞれの切出ローラ１１は、個別の試験管排出モータ（図６参照）によって独立して駆動制御される。また切出ローラ１１の近傍には、ローラの回転方向に追随して搖動自在なセンサードグ（図示せず）が取り付けられており、切出ローラ１１の凹条１２に試験管７が保持されてローラが回転すると、試験管７によってセンサードグが搖動支点を中心にして押し上げられ、フォトセン
サーの光を遮断するようになっている。これにより、試験管７の切出が実際に行われたか否かを検知することが可能である。
【００２４】
尚、図１及び図３において、符号１３は、各試験管収容部９Ａ，９Ｂへ投入された試験管７の押さえ兼用の保護板である。図３における保護板１３の中央寄りの位置には、起立片１３Ａが折り曲げ形成されている。保護板１３は、試験管７の切出供給に伴い、収容している試験管７の残り数が少なくなってくると次第に下降をし、ある本数以下になると、試験管収容部９Ａ，９Ｂの中央寄り壁面に配設したリミットスイッチ（図示せず）を押し下げ、試験管７の残り数が少なくなってきたことを知らせるようになっている。
【００２５】
切出ローラ１１の下方側には、試験管７を搬送するための搬送コンベア１４が、本体２の左側端面から右側端面にかけて配置されており、各試験管収容部９Ａ，９Ｂの切出ローラ１１によって一本ずつ切り出されて自然落下する試験管７を当該搬送コンベア１４が受け取り、本体２の右側面に設けた排出口１５の位置まで搬送するようになっている。上述した試験管収納用トレイ４の載置台５は、前記排出口１５に連続して設けられており、排出口１５から排出される試験管７をトレイ４へ収納するようになされている。
【００２６】
更に、本体２の正面側には、電源スイッチ１６と、データの発行開始信号を与える押ボタンスイッチ１７と、状態を表示する赤色、黄色、緑色の三種類のランプ（LED）１８Ａ，１８Ｂ，１８Ｃが設置されている。これらのランプの状態表示の一例を挙げると次の通りである。すなわち、緑色のランプ１８Ａは、「消灯」のときは電源がＯＦＦで、「点灯」しているときは電源がＯＮで、「点滅」しているときは本体動作初期作動中か又は発行パソコン３から設定値のデータ受信中の状態を表している。また黄色のランプ１８Ｂは、「消灯」のときは発行データ無を表し、「点灯」のときはデータ有りで、トレイ検知信号と発行押ボタンスイッチの信号待ちの状態を表し、「遅い点滅」で発行動作処理中を、「早い点滅」で発行動作処理完了（トレイ取り出し待ち）の状態を表している。更に、赤色のランプ１８Ｃは、「消灯」でエラー無し（正常）を表し、「点灯」で未排出の試験管有るので試験管を補
充して押ボタンスイッチを押し、不足分を追加発行することを催促表示し、「点滅」で何らかのエラーが発生していることを表している。
更にまた、本体２の右側面には、試験管収納用トレイ４の有無を検知するためのセンサー（例えば、赤外線を利用した反射型のフォトセンサー）が取り付けられている。
【００２７】
次に、このように構成されたチューブディスペンサー１の動作態様を図４のフローチャート及び図５のシーケンシャルフローチャート、更には図６の電気的構成を示すブロック図及び図７の機械的構成を示すブロック図を参照して説明する。先ず、電源スイッチ１６を押して電源を投入すると、緑色の発光ダイオード１８Ａが点灯し、ノート型の発行パソコン３から患者情報及び検査情報等の電文（データ）が本体２の基板に送信される。この状態で、発光ダイオード１８Ａは、点滅表示に切り替わり、電文の受信中であることを表示する。受信が完了すると、黄色の発光ダイオード１８Ｂが点灯し、発行データが有ることを表示する。本体２の基板は、受信した電文の内容が一人の患者分の全部であるか否かを確認する。ＹＥＳであれば、試験管収納用トレイ４がトレイ載置台５上に準備されているか否かを確認する。そして、作業員が押ボタンスイッチ１７を押すと、その信号が基板に検出される。
【００２８】
一方、チューブディスペンサー１の本体２では、各試験管収容部９Ａ，９Ｂにそれぞれ所定の種類の試験管７が収容されているか否かを保護板１３の起立片１３Ａによって機械的に押し下げられるリミットスイッチからの信号の有無によって判断する。リミットスイッチからの信号がなければ、試験管７は十分に収容されており、作業を続行する。この状態では、黄色の発行ダイオード１８Ｂが遅い点滅を繰り返して発行動作処理中であることを表示する。
【００２９】
続いて、基板は、受信した発行データから当該患者の採血に必要な種類の試験管が収容されている試験管収容部９Ａ，９Ｂの切出モータを一斉に駆動させて切出ローラ１１を回転駆動させる。例えば、当該患者は６管種の採血が必要であれば、全ての試験管収容部９Ａ，９Ｂの切出ローラ１１を同時に回転駆動させる。切出ローラ１１は、回転途中の収容部に面した領域において凹条１２に試験管７を落とし込んで保持する。そして、切出ローラ１１が更に回転すると、凹条１２に保持された試験管７が搖動自在なセンサードグを押し上げ、フォトセンサーの照射光を遮断させる。そのため、このフォトセンサーからの出力信号を検知することにより、試験管７が実際に切り出されたか否かを確認することが可能である。
【００３０】
切り出された試験管７は、切出ローラ１１の凹条１２が斜め下方を向いたときに搬送コンベア１４の上に自然落下する。切り出された試験管７の数が６管種であれば、ほぼ同時に６個の試験管７がコンベア１４上に落下する。そして、搬送コンベア１４によって本体２の右側面に設けられた排出口１５から試験管収納用トレイ４に次々と落下投入される。一方、ラベルプリンタ６からは、基板から出力された患者情報及び検査情報等の発行データに基づいて必要事項がラベル１９に印字され、印字後のラベル１９は自動的に切り取られて試験管７が収納されているトレイ４に投入される。ラベル１９は、試験管７の本数に対応した数のものが一枚のシートになってラベルプリンタ６から打ち出される場合と、各試験管７の個々に対応した数のものを一枚ずつプリントアウトする場合とがある。
これで発行データの処理動作が完了し、黄色の発行ダイオード１８Ｂは早い点滅に切り替わる。そして、作業員が採血に必要な種類及び個数の試験管７と、患者情報などを印字したラベル１９とが投入されたトレイ４を取り出せば、これを図示しない反射型のフォトセンサーが検知し、一連の準備作業が完了する。
【００３１】
なお、ラベルプリンタ６からのトレイ４へのラベル１９の投入時期について、試験管７が収納される前か又は後のいずれかを選択できるようになっている。これは扇風機を回しているような採血現場ではあれば、試験管７をトレイ４へ投入した後にラベル１９をトレイ４へ投入するようにすると、扇風機の風でラベル１９が吹き飛ばされる虞があるからである。このような場合は、ラベル１９を投入した後に試験管７を投入するようにすれば、試験管７の重量によってラベル１９が押さえられ、扇風機が回っているような環境下でもラベル１９が吹き飛ばされるようなことはない。このラベル１９の投入時期の選択は、例えば、発光ダイオード１８Ａ，１８Ｂ，１８Ｃのいずれかをプッシュボタンスイッチ兼用とし、このボタン操作で行なうようにしてもよく、また専用のボタンスイッチを設けるようにしてもよい。
【００３２】
このようにして、試験管７とラベル１９とが投入されたトレイ４を、取り出した後は、空のトレイ４をトレイ載置台５上に準備し、本体２の正面側の押しボタンスイッチ１７を押して次の患者の試験管準備作業に移行すればよい。採血現場においては、ラベル１９が一枚のシートになっている場合は、シートから一枚ずつ剥がし、該当する試験管７へ貼付すればよく、また個々の試験管７に対応して一枚ずつがプリントアウトされた場合は対応する試験管７へそれぞれのラベル１９を貼付するばよい。そして、採血に際しては、患者が保有する採血受付票のバーコードの情報と、試験管７に貼付されたバーコードの情報とを照合し、患者の取り違いがないかを確認した上で採血作業を実施すればよい。
【００３３】
なお、前記一連の準備作業において、各試験管収容部９Ａ，９Ｂの試験管７の収容数が残り少なくなったことを検知するリミットスイッチからの信号と、切出ローラ１１に保持された試験管７の有無によって信号出力するフォトセンサーからの信号とを組み合わせることにより、試験管７が詰まっているのか、空になっているのかを知ることが可能である。リミットスイッチからの信号がＯＦＦ出力で、切出ローラ１１が３回転してもフォトセンサーからの信号もＯＦＦ出力のときは、試験管７が十分収容されているのに試験管７が切り出せないということであり、この場合は試験管７が詰まっていることになる。またリミットスイッチの信号がＯＮ出力で、切出ローラ１１が３回転してもフォトセンサーからの信号もＯＦＦ出力のときは、試験管７が全く収容されていない空の状態であり、試験管７の補充が必要である。更に、リミットスイッチの信号がＯＮ出力でフォトセンサーからの信号もＯＮ出力のと
きは、試験管７の収容数が所定数以下になったときであり、試験管７の補充の準備が必要である。
【産業上の利用可能性】
【００３４】
ところで、本発明は上述した実施の形態に限定されるものではなく、適宜の変更が可能である。例えば、対向する試験管収容部９Ａ，９Ｂは三つのペアの場合を説明したが、一つのペアでもよく、また上記以外の複数のペアであってもよい。また採血に必要な試験管７の数がチューブディスペンサー１の収容部９Ａ，９Ｂの設置数を越えるときは、同一の管種が複数本要求されているということであり、この場合は該当する管種の切出動作のみをその数だけ繰り返して行なえばよい。このように一回の切出動作で未排出の試験管があるときは、赤色発行ダイオード１８Ｃを点灯させる等して作業員に知らせるようにすればよい。作業員は、押ボタンスイッチ１７を押して未排出の試験管７の排出処理動作を行えばよい。
【００３５】
更に、各試験管収容部９Ａ，９Ｂにおけるリミットスイッチと、フォトセンサーとの信号による試験管７の詰まりや空であることの検知手段は省略することも可能であり、この場合は試験管７の詰まりや空の現象が発生すると試験管７が排出されなくなるので、エラー表示されることになる。
更にまた、試験管７は、ゴム栓やキャップのない通常の試験管の他に、真空採血管であってもよい。また試験管７は、採血用の採血管として利用できる他に、分注に際しての検体を入れるための試験管としても適用可能である。
【図面の簡単な説明】
【００３６】
【図１】本発明の一実施の形態に係るチューブディスペンサーの全体を示す平面図である。
【図２】本発明の一実施の形態に係るチューブディスペンサーの全体を示す正面図である。
【図３】本発明の一実施の形態に係るチューブディスペンサーの全体を示す縦断面右側面図である。
【図４】本発明の一実施の形態に係るチューブディスペンサーのフローチャート図である。
【図５】本発明の一実施の形態に係るチューブディスペンサーのシーケンシャルフローチャート図ある。
【図６】本発明の一実施の形態に係るチューブディスペンサーの電気的構成を示すブロック図である。
【図７】本発明の一実施の形態に係るチューブディスペンサーの機械的構成を示すブロック図である。
【符号の説明】
【００３７】
１…チューブディスペンサー、２…本体、３…発行パソコン、４…試験管収納用トレイ、５…トレイ載置部、６…ラベルプリンタ、７…試験管、８…ストッカー、９Ａ，９Ｂ…試験管収容部、１０…底板、１１…切出ローラ、１２…凹条、１３…保護板、１４…搬送コンベア、１５…試験管の排出口、１９…ラベル
【図１】
2008120404.tif 000003
【図２】
2008120404.tif 000004
【図３】
2008120404.tif 000005
【図４】
2008120404.tif 000006
【図５】
2008120404.tif 000007
【図６】
2008120404.tif 000008
【図７】
2008120404.tif 000009